(57)【特許請求の範囲】
【請求項１】
便器及び男性用便器からなる群より選択される配管設備の水溜り部であり、排水口と該排水口から上に向かって延びる側壁部分とを有する水溜り部の洗浄方法であって、
前記洗浄方法が、
水と、アニオン性界面活性剤と、非イオン性界面活性剤と、スルファミン酸と、を含有してなる洗浄用組成物であって、ここで、
前記アニオン性界面活性剤は０．５０重量％以下で存在し、
前記非イオン性界面活性剤は０．２０重量％〜１．００重量％の範囲で存在し、
前記スルファミン酸は５．００重量％以下で存在し、
芳香剤の含有量が０．００重量％〜３．００重量％の範囲であり、かつ、カチオン性界面活性剤が前記組成物中に存在しない洗浄用組成物を、水で洗い流すこととは異なる方法で、前記側壁部分に塗布すること、ならびに、
前記洗浄用組成物が前記側壁部分に塗布された後、少なくとも０．５時間にわたって、前記側壁部分に塗布された前記洗浄用組成物を放置すること、
を有し、
前記洗浄用組成物が、エアロゾルスプレーにより前記側壁部分に塗布され、かつ
前記洗浄方法が、前記側壁部分を前記洗浄用組成物で擦る、あるいは前記洗浄用組成物で手を用いてふくことなく完了する洗浄方法。
【請求項２】
前記洗浄用組成物が前記側壁部分に塗布された後、少なくとも１時間にわたって、前記側壁部分に塗布された前記洗浄用組成物を放置する請求項１に記載の洗浄方法。
【請求項３】
前記洗浄用組成物が前記側壁部分に塗布された後、少なくとも６時間にわたって、前記側壁部分に塗布された前記洗浄用組成物を放置する請求項１に記載の洗浄方法。
【請求項４】
前記配管設備が、上部部分を有してなる便器であり、かつ前記洗浄用組成物が、少なくとも前記上部部分と便器の通常の水位線との間における側壁部分に沿って塗布される請求項１に記載の洗浄方法。
【請求項５】
前記洗浄用組成物が、さらに消毒剤を含有してなる請求項１に記載の洗浄方法。
【請求項６】
前記洗浄用組成物が、期間中に前記側壁部分から完全に洗い流されることのない請求項１に記載の洗浄方法。
【請求項７】
前記洗浄用組成物が、７５重量％よりも多い水を含有してなる請求項１に記載の洗浄方法。
【発明の詳細な説明】
【０００１】
（関連出願の相互参照）
なし
【０００２】
（政府援助に関する記載）
なし
【０００３】
（発明の背景）
本発明は配管設備の洗浄方法に関し、より詳しくは、洗浄剤をすり込むために水溜り部を、前記洗浄用組成物で擦る（ｓｃｒｕｂ）か、あるいは前記洗浄用組成物で手を用いてふく（ｗｉｐｅ）必要性を軽減する、便器及び男性用便器の洗浄方法に関する。
【０００４】
洗浄剤で便器を擦ることによって使用されるように意図された様々な便器用洗浄剤が知られている。場合により、前記洗浄剤は、水溜り部に対して瓶から噴出される液体剤である（例えば、Ｓ．Ｃ．Ｊｏｈｎｓｏｎ＆Ｓｏｎ，Ｉｎｃ．により販売されている「Ｌｉｑｕｉｄ  Ｔｏｉｌｅｔ  Ｄｕｃｋ」が挙げられる）。別の場合には、前記洗浄剤は、水溜り部の側面に対してスプレーされるエアロゾルスプレー剤である（例えば、Ｓ．Ｃ．Ｊｏｈｎｓｏｎ＆Ｓｏｎ，Ｉｎｃ．により販売されている「Ｖａｎｉｓｈ」便器用洗浄剤が挙げられる）。
【０００５】
また、ふく必要がなく、浴槽（ｂａｔｈｔｕｂ）又はシャワー室をより清浄に保ち、シャワー室又は浴槽が使用された直後にシャワー室の壁又は浴槽の壁に対してスプレーされる製品が提供されていることも、この分野では知られている。これは、米国特許第５，５８７，０２２号に記載されている（関連する米国特許第５，５３６，４５２号及び同第５，５８７，６６４号ならびに関連するＰＣＴ国際公開ＷＯ９６／２２３４６号及び同ＷＯ９８／０２５１１号もまた参照のこと）。
【０００６】
しかしながら、便器及び男性用便器は、汚れた汚水を受け入れるように設計されている。水洗後でさえ、水溜り部は、便器を汚し得る鉱物類（例えば、水垢を残し得る）を含有する硬水により、部分的に満たされたままにされることが多い。擦る（ｓｃｒｕｂ）ことなく、シャワー室又は浴槽を比較的清浄に保つように設計されている既存の洗浄用配合物は、便器及び男性用便器に対しては効果的でない。
【０００７】
様々な技術が、便器内に留まる流し水を介して洗浄用化合物を供給するために開発されている。しかしながら、そのような方法でこの洗浄液が便器の水に供給されることにより、洗浄用成分は希釈される。さらに、そのようなシステムは、便器の水位線より上方にある部分に対してはあまり効果的でない。
【０００８】
男性用便器に関しては、消毒剤の塊が、水溜り部の出口近くに、時には氷状物の中又は氷状物の上に、配置されている。しかし、そのような消毒剤は、便器の側壁を洗浄するためには設計されていない。
【０００９】
先行技術においては、水溜り部を洗浄剤で擦る（ｓｃｒｕｂ）、あるいはふく（ｗｉｐｅ）必要性を軽減し、便器又は男性用便器の側壁を洗浄する満足いく方法を今日まで提供していないことから、便器の水及び洗浄剤で汚れたスポンジ、ブラシ及びその他を、使用後から次回使用までの間、依然として保存しなければならない。
従って、便器及び男性用便器の改善された洗浄方法の開発が求められている。
【００１０】
（発明の要旨）
本発明の第１の態様は、便器及び男性用便器からなる群より選択される配管設備の水溜り部を洗浄する方法を提供する。そのような水溜り部は、排水口と、該排水口から上に向かって延びる側壁部分とを有する。少なくとも水及び界面活性剤を含有する洗浄用組成物が、水で洗い流すこととは別の方法で前記側壁部分に塗布される。そして、洗浄用組成物が塗布された後、少なくとも０．５時間（好ましくは少なくとも１時間、さらにより好ましくは少なくとも６時間）にわたって、前記洗浄用組成物は側壁部分に留められる。この方法は、壁を洗浄用組成物で擦る（ｓｃｒｕｂ）、あるいは洗浄用組成物で手を用いてふく（ｗｉｐｅ）ことなく、そして該組成物が期間中に壁から完全に洗い流されることなく完了する。
【００１１】
界面活性剤は、便器環境における使用に好適であると知られている、アニオン性界面活性剤、非イオン性界面活性剤、カチオン性界面活性剤、あるいは双性イオン性界面活性剤のいずれかであり得るが、非イオン性界面活性剤及びアニオン性界面活性剤の混合物、あるいは非イオン性界面活性剤及びカチオン性界面活性剤の混合物のいずれかが、この目的には好ましい。
【００１２】
本発明のさらなる態様においては、水溜り部が、上部部分を有する便器の水溜り部に該当し、そして洗浄用組成物が、少なくとも前記上部部分と、前記水溜り部の通常の「水位線」（水溜り部の通常的な充填レベル）と、の間に塗布される。
【００１３】
前記洗浄用組成物は、該洗浄用組成物の大部分が（主として便器水内に流れ落ちるのではなく）水面より上方の便器側面に付着するように、スプレーを介して供給されるのが好ましい。ポンプスプレー装置を使用して、その物質を供給することができ、あるいは、その物質は、エアロゾルガス噴射剤（プロパン、ブタン、イソブタン及びこれらの混合物）と一緒にされ、その後、エアロゾル缶から供給することができる。
【００１４】
本発明におけるこれらの特徴及び他の特徴は、下記説明により明らかである。下記説明は本発明の好ましい実施形態の説明である。しかしながら、本発明の完全な範囲を理解するためには、請求項に注意しなければならない。
【００１５】
（詳細な説明）
実施例１−カチオン性界面活性剤と混合された非イオン性界面活性剤−ポンプスプレー
１つの好ましい液体スプレー型洗浄剤は下記の配合を有する：
【００１６】
【表１】
0004303908.tif 000002
【００１７】
実施例１を、これを含有するトリガー式ポンプ瓶からスプレーすることによって便器に塗布した。水位線より上で縁（ｒｉｍ）より下に位置する便器の内壁全体を、覆うようにスプレーした。所望する被覆を達成するために、約１０ｇをスプレーすることが必要であった。塗布された製造物を、少なくとも０．５時間（好ましくは少なくとも６時間〜一晩）にわたって便器と接触させたままにした。その後、トイレは通常通りに使用することができた。
【００１８】
この手順を、１日に１回、４週間にわたって繰り返した。これにより、目に見えるすべての汚れ及び沈着物が除かれ、そして、さらなる汚れが水線上方の便器側面に形成されないようになった。
【００１９】
実施例２−非イオン性界面活性剤及びカチオン性界面活性剤−エアロゾル
本発明のエアロゾル形態（ｆｏｒｍ）は下記の配合を有する：
【００２０】
【表２】
0004303908.tif 000003
【００２１】
スプレー瓶について実施例１に記載されているのと本質的には同様な方法で、エアロゾル缶からではあるが、実施例２を便器にスプレーした。実施例１と同じ間隔で塗布したところ、実施例１と類似する結果が得られた。
【００２２】
実施例３−ポンプスプレー
下記の配合物も、トリガー式ノズル供給システムと使用するのに好適である。
【００２３】
【表３】
0004303908.tif 000004
【００２４】
(その他の態様)
本発明の配合物に対して、いくつかの特定成分が有用であることが記載されているが、これらの配合は変化させることができる。例えば、アニオン性界面活性剤は、配合物の０〜１０％であるのが好ましく、カチオン性界面活性剤は、配合物の０〜１０％であるのが好ましく、非イオン性界面活性剤は、配合物の０．２〜１０％であるのが好ましく、そして、５％までのスルファミン酸又は１５％までのＥＤＴＡ四ナトリウム塩、及び３％までの芳香剤を含有するのが好ましい。また、７５％よりも多くの水を含有するのが好ましい。便器用洗浄剤に関して、従来用いられているその他の添加物及び色素も含有することができる。
【００２５】
本発明は、上記において便器の洗浄に関して記載しているが、同様に男性用便器との組み合わせにおいても効果的に用いることができる。本発明の洗浄用組成物は、男性用便器の内側側壁に沿って塗布される。便器との組合わせの場合と同様に、前記洗浄剤は、毎日、好ましくは１日の終わりに塗布される。前記洗浄剤は、洗い流す前に、少なくとも０．５時間、好ましくは６時間にわたって男性用便器の内面と接触したままにすることが好ましい。
【００２６】
（産業上の利用可能性）
本発明は、洗い流すことが可能な、汚水を受け入れる男性用便器及び便器の洗浄方法を提供する。